(57)【要約】【課題】低コストで且つ簡易な構成のマルチプロジェクションシステムを提供すること。【解決手段】複数の画像表示装置により表示される画像が一つの全体画像となるように複数の前記画像表示装置に画像を表示させる画像表示制御装置であって、複数の前記画像表示装置のうち異常が発生した画像表示装置を特定する異常発生特定部と、複数の前記画像表示装置のうち異常が発生した画像表示装置として特定された前記画像表示装置を除く他の画像表示装置により表示される画像が一つの全体画像となるように前記他の画像表示装置に画像を表示させる画像表示制御部と、を備える。【選択図】図６
2016161820.tif 000002
【特許請求の範囲】
【請求項１】
複数の画像表示装置により表示される画像が一つの全体画像となるように複数の前記画像表示装置に画像を表示させる画像表示制御装置であって、
複数の前記画像表示装置のうち異常が発生した画像表示装置を特定する異常発生特定部と、
複数の前記画像表示装置のうち異常が発生した画像表示装置として特定された前記画像表示装置を除く他の画像表示装置により表示される画像が一つの全体画像となるように前記他の画像表示装置に画像を表示させる画像表示制御部と、
を備えることを特徴とする画像表示制御装置。
【請求項２】
前記画像表示制御部は、前記全体画像が最も大きく表示されるように前記他の画像表示装置に画像を表示させることを特徴とする請求項１に記載の画像表示制御装置。
【請求項３】
前記画像表示制御部は、前記他の画像表示装置にそれぞれ割り当てられている表示領域の組み合わせにより構成される矩形領域のうち、面積が最大となる矩形領域に表示される画像が一つの全体画像となるように前記他の画像表示装置に画像を表示させることを特徴とする請求項１又は２に記載の画像表示制御装置。
【請求項４】
前記画像表示制御部は、前記他の画像表示装置にそれぞれ割り当てられている表示領域の組み合わせにより構成される矩形領域のうち、アスペクト比を維持しつつ前記全体画像を最も大きく表示することができる矩形領域に表示される画像が一つの全体画像となるように前記他の画像表示装置に画像を表示させることを特徴とする請求項１乃至３いずれか１項に記載の画像表示制御装置。
【請求項５】
前記画像表示制御部は、前記他の画像表示装置のうち前記全体画像の表示に寄与しない画像表示装置に画像を表示させることを特徴とする請求項１乃至４いずれか１項に記載の画像表示制御装置。
【請求項６】
前記画像表示制御部は、表示されなくても視聴に差し支えがない不要部分が前記全体画像の少なくとも一辺に沿って含まれる場合、前記不要部分以外の画像が最も大きく表示されるように前記他の画像表示装置に画像を表示させることを特徴とする請求項１乃至５いずれか１項に記載の画像表示制御装置。
【請求項７】
前記異常発生特定部は、複数の前記画像表示装置にそれぞれ割り当てられている表示領域のうち、画像が表示されていない非表示状態が一定時間継続する表示領域、若しくは、前記全体画像を表示するための情報が記述された元画像データのファイルが切り替わっても前記非表示状態が継続する表示領域が割り当てられている画像表示装置を、異常が発生した画像表示装置として特定することを特徴とする請求項１乃至６いずれか１項に記載の画像表示制御装置。
【請求項８】
前記画像表示制御部は、異常が発生した画像表示装置として特定された前記画像表示装置により表示されるべき画像が、表示されなくても視聴に差し支えがない不要部分である場合、異常が発生する前と同様に前記他の画像表示装置に画像を表示させることを特徴とする請求項１乃至７いずれか１項に記載の画像表示制御装置。
【請求項９】
複数の画像表示装置により表示される画像が一つの全体画像となるように複数の前記画像表示装置に画像を表示させる画像表示制御プログラムであって、
複数の前記画像表示装置のうち異常が発生した画像表示装置を特定するステップと、
複数の前記画像表示装置のうち異常が発生した画像表示装置として特定された前記画像表示装置を除く他の画像表示装置により表示される画像が一つの全体画像となるように前記他の画像表示装置に画像を表示させるステップと、
を実行することを特徴とする画像表示制御プログラム。
【請求項１０】
複数の画像表示装置により表示される画像が一つの全体画像となるように複数の前記画像表示装置に画像を表示させる画像表示制御システムであって、
複数の前記画像表示装置のうち異常が発生した画像表示装置を特定する異常発生特定部と、
複数の前記画像表示装置のうち異常が発生した画像表示装置として特定された前記画像表示装置を除く他の画像表示装置により表示される画像が一つの全体画像となるように前記他の画像表示装置に画像を表示させる画像表示制御部と、
を備えることを特徴とする画像表示制御システム。
【発明の詳細な説明】
【技術分野】
【０００１】
本発明は、画像表示制御装置、画像表示制御プログラム、画像表示制御システムに関する。
【背景技術】
【０００２】
近年、プロジェクタや平面ディスプレイなどの画像表示装置を複数台並べて、それら複数台の画像表示装置に疑似的に一つの大画面を表示させるマルチプロジェクションシステムが知られている。
【０００３】
このようなマルチプロジェクションシステムは、複数台の画像表示装置にそれぞれ画像を表示させるべき表示領域を割り当て、各画像表示装置により表示される画像が全体で一つの画像（以下、「全体画像」とする）となるように、それら複数台の画像表示装置にそれぞれ画像を表示させるようになっている。
【０００４】
そのため、このようなマルチプロジェクションシステムは、画像表示装置が１台でも故障すると、その画像表示装置に割り当てられている表示領域に画像が表示されず、若しくは、その表示領域に異常画像が表示されてしまう。従って、このような場合、マルチプロジェクションシステムは、全体画像の一部が欠けてしまい、正常に画像を表示することができなくなってしまう。
【０００５】
そこで、このようなマルチプロジェクションシステムのうち、各表示領域に２台以上の画像表示装置をそれぞれ割り当て、それら２台以上の画像表示装置を使用して各表示領域に画像を表示させるマルチプロジェクションシステムが提案され既に知られている（例えば、特許文献１を参照）。
【０００６】
また、このようなマルチプロジェクションシステムのうち、画像表示装置が故障した場合に、予め用意しておいた予備の画像表示装置を使用して、故障した画像表示装置に割り当てられていた表示領域に画像を表示させるマルチプロジェクションシステムが提案され既に知られている（例えば、特許文献１を参照）。
【発明の概要】
【発明が解決しようとする課題】
【０００７】
ところが、特許文献１及び２に記載のマルチプロジェクションシステムは、多くの画像表示装置を必要とするため、イニシャルコスト及びランニングコストが大きくなったり、構成が複雑になったりするといった問題がある。
【０００８】
本発明は、このような課題を解決するためになされたものであり、低コストで且つ簡易な構成のマルチプロジェクションシステムを提供することを目的とする。
【課題を解決するための手段】
【０００９】
上記課題を解決するために、本発明の一態様は、複数の画像表示装置により表示される画像が一つの全体画像となるように複数の前記画像表示装置に画像を表示させる画像表示制御装置であって、複数の前記画像表示装置のうち異常が発生した画像表示装置を特定する異常発生特定部と、複数の前記画像表示装置のうち異常が発生した画像表示装置として特定された前記画像表示装置を除く他の画像表示装置により表示される画像が一つの全体画像となるように前記他の画像表示装置に画像を表示させる画像表示制御部と、を備えることを特徴とする。
【発明の効果】
【００１０】
本発明によれば、低コストで且つ簡易な構成のマルチプロジェクションシステムを提供することができる。
【図面の簡単な説明】
【００１１】
【図１】本発明の実施形態に係るマルチプロジェクションシステムの運用形態を示す図である。
【図２】本発明の実施形態に係るマルチプロジェクションシステムによる表示面への画像の表示例を示す図である。
【図３】本発明の実施形態に係るマルチプロジェクションシステムにおける表示面の表示領域を示す図である。
【図４】本発明の実施形態に係るプロジェクタのハードウェア構成を模式的に示すブロック図である。
【図５】本発明の実施形態に係る情報処理装置のハードウェア構成を模式的に示すブロック図である。
【図６】本発明の実施形態に係るプロジェクタ及び情報処理装置の機能構成を模式的に示すブロック図である。
【図７】本発明の実施形態に係る情報処理装置が各プロジェクタに画像を表示させる際の処理を説明するためのシーケンス図である。
【図８】本発明の実施形態に係る情報処理装置が各プロジェクタに画像を表示させる際の処理を説明するためのシーケンス図である。
【図９】本発明の実施形態に係るマルチプロジェクションシステムよる表示面への画像の表示例を示す図である。
【図１０】本発明の実施形態に係るマルチプロジェクションシステムにおける表示面の表示可能領域を示す図である。
【図１１】本発明の実施形態に係るマルチプロジェクションシステムよる表示面への画像の表示例を示す図である。
【図１２】本発明の実施形態に係るマルチプロジェクションシステムよる表示面への画像の表示例を示す図である。
【図１３】本発明の実施形態に係る情報処理装置が部分画像データを生成する際の処理を説明するためのフローチャートである。
【図１４】本発明の実施形態に係るマルチプロジェクションシステムよる表示面への画像の表示例を示す図である。
【図１５】本発明の実施形態に係るマルチプロジェクションシステムよる表示面への画像の表示例を示す図である。
【図１６】本発明の実施形態に係るマルチプロジェクションシステムよる表示面への画像の表示例を示す図である。
【図１７】本発明の実施形態に係るマルチプロジェクションシステムよる表示面への画像の表示例を示す図である。
【図１８】本発明の実施形態に係るマルチプロジェクションシステムよる表示面への画像の表示例を示す図である。
【図１９】本発明の実施形態に係るマルチプロジェクションシステムよる表示面への画像の表示例を示す図である。
【図２０】本発明の実施形態に係る情報処理装置が部分画像データを生成する際の処理を説明するためのフローチャートである。
【図２１】本発明の実施形態に係るマルチプロジェクションシステムよる表示面への画像の表示例を示す図である。
【図２２】本発明の実施形態に係るマルチプロジェクションシステムよる表示面への画像の表示例を示す図である。
【図２３】本発明の実施形態に係るマルチプロジェクションシステムよる表示面への画像の表示例を示す図である。
【図２４】本発明の実施形態に係るマルチプロジェクションシステムよる表示面への画像の表示例を示す図である。
【図２５】本発明の実施形態に係るマルチプロジェクションシステムよる表示面への画像の表示例を示す図である。
【図２６】本発明の実施形態に係るマルチプロジェクションシステムよる表示面への画像の表示例を示す図である。
【図２７】本発明の実施形態に係るマルチプロジェクションシステムよる表示面への画像の表示例を示す図である。
【図２８】本発明の実施形態に係る情報処理装置が部分画像データを生成する際の処理を説明するためのフローチャートである。
【図２９】本発明の実施形態に係るプロジェクタが画像の表示状態に異常が発生したことを検知する際の処理を説明するためのフローチャートである。
【図３０】本発明の実施形態に係るプロジェクタが画像の表示状態に異常が発生したことを検知する際の処理を説明するためのフローチャートである。
【図３１】本発明の実施形態に係るマルチプロジェクションシステムよる表示面への画像の表示例を示す図である。
【図３２】本発明の実施形態に係るマルチプロジェクションシステムよる表示面への画像の表示例を示す図である。
【図３３】本発明の実施形態に係るマルチプロジェクションシステムよる表示面への画像の表示例を示す図である。
【図３４】本発明の実施形態に係る情報処理装置が画像サイズを変更する必要があるか否かを判断する際の処理を説明するためのフローチャートである。
【図３５】本発明の実施形態に係る情報処理装置が画像サイズを変更する必要があるか否かを判断する際の処理を説明するためのフローチャートである。
【図３６】本発明の実施形態に係る情報処理装置が画像サイズを変更する必要があるか否かを判断する際の処理を説明するためのフローチャートである。
【発明を実施するための形態】
【００１２】
実施の形態１．
以下、図面を参照して、本発明の実施形態を詳細に説明する。本実施形態においては、画像表示制御システムの例として、プロジェクタや平面ディスプレイなどの画像表示装置を複数台並べて、それら複数台の画像表示装置に疑似的に一つの大画面を表示させるマルチプロジェクションシステムについて説明する。尚、本実施形態に係るマルチプロジェクションシステムにおいては、画像表示装置がプロジェクタである例について説明する。
【００１３】
まず、本実施形態に係るマルチプロジェクションシステムの運用形態について、図１〜図３を参照して説明する。図１は、本実施形態に係るマルチプロジェクションシステムの運用形態を示す図である。図２は、本実施形態に係るマルチプロジェクションシステムによる表示面６への画像の表示例を示す図である。図３は、本実施形態に係るマルチプロジェクションシステムにおける表示面６の表示領域を示す図である。
【００１４】
図１に示すように、本実施形態に係るマルチプロジェクションシステムは、プロジェクタ１ａ、１ｂ、１ｃ、１ｄ、１ｅ、１ｆが接続されたネットワーク３と、情報処理装置２が接続されたネットワーク４とが、インターネットや電話回線等の公衆回線５を介して接続されて構成されている。以下では、プロジェクタ１ａ〜１ｆをそれぞれ区別する必要がない場合には、それらを総称してプロジェクタ１とする。
【００１５】
尚、ネットワーク３に接続されているプロジェクタ１の数は一例であり、これらがもっと多く接続された大規模なシステムであっても良い。また、それぞれ異なるプロジェクタ１が接続された複数のネットワークが公衆回線５を介して情報処理装置２と接続される構成としても良いし、プロジェクタ１と情報処理装置２とが同一のネットワーク上に接続されて構成されていても良い。
【００１６】
また、図１におけるネットワーク３、４は、例えば、オフィスＬＡＮ（Ｌｏｃａｌ  Ａｒｅａ  Ｎｅｔｗｏｒｋ）などの限定されたネットワークであり、プロジェクタ１と情報処理装置２とは、夫々のＬＡＮを介して公衆回線５に接続されるが、公衆回線５に直接接続される態様とすることも可能である。
【００１７】
また、図１におけるネットワーク３、４、公衆回線５は、例えば、Ｅｔｈｅｒｎｅｔ（登録商標）やＵＳＢ（Ｕｎｉｖｅｒｓａｌ  Ｓｅｒｉａｌ  Ｂｕｓ）、Ｂｌｕｅｔｏｏｔｈ（登録商標）、Ｗｉ−Ｆｉ（Ｗｉｒｅｌｅｓｓ  Ｆｉｄｅｌｉｔｙ）（登録商標）、ＦｅｌｉＣａ（登録商標）、ＰＣＩｅ（Ｐｅｒｉｐｈｅｒａｌ  Ｃｏｍｐｏｎｅｎｔ  Ｉｎｔｅｒｃｏｎｎｅｃｔ  Ｅｘｐｒｅｓｓ）、ＶＧＡ（Ｖｉｄｅｏ  Ｇｒａｐｈｉｃｓ  Ａｒｒａｙ）、ＤＶＩ（Ｄｉｇｉｔａｌ  Ｖｉｓｕａｌ  Ｉｎｔｅｒｆａｃｅ）、ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）規格などのインタフェースを利用したネットワークにより実現されても良い。
【００１８】
プロジェクタ１は、入力された映像信号に応じて、光源から射出される光束を変調して光学像を形成し、形成した光学像を壁やスクリーンなどの表示面６に拡大して表示する。
【００１９】
また、本実施形態に係るマルチプロジェクションシステムにおいて、プロジェクタ１ａ〜１ｆは、情報処理装置２による制御のもと、図２に示すように、それら６台で疑似的に一つの大画面を表示面６に表示することができるように構成されている。
【００２０】
即ち、図２に示すように、本実施形態に係るマルチプロジェクションシステムは、各プロジェクタ１にそれぞれ画像を表示させるべき表示領域を割り当て、各プロジェクタ１により表示される画像が全体で一つの画像（以下、「全体画像」とする）となるように、各プロジェクタ１を動作させるようになっている。
【００２１】
尚、図２において、本実施形態に係るマルチプロジェクションシステムは、６台のプロジェクタ１で疑似的に一つの大画面を表示しているが、２台、３台、４台、５台のプロジェクタ１で疑似的に一つの大画面を表示しても良い。
【００２２】
以下では、図３に示すように、プロジェクタ１ａ、プロジェクタ１ｂ、プロジェクタ１ｃ、プロジェクタ１ｄ、プロジェクタ１ｅ、プロジェクタ１ｆに割り当てられている表示領域をそれぞれ、表示領域Ａ、表示領域Ｂ、表示領域Ｃ、表示領域Ｄ、表示領域Ｅ、表示領域Ｆとする。
【００２３】
また、本実施形態に係るマルチプロジェクションシステムは、情報処理装置２による制御のもと、プロジェクタ１に表示させる画像を切り替えたり、静止画だけではなく動画を表示させたりすることが可能である。
【００２４】
情報処理装置２は、各プロジェクタ１に画像を表示させるためにユーザが操作するための端末であり、サーバ装置やＰＣ（Ｐｅｒｓｏｎａｌ  Ｃｏｍｐｕｔｅｒ）、スマートフォン、タブレット端末、ＰＤＡ（Ｐｅｒｓｏｎａｌ  Ｄｉｇｉｔａｌ  Ａｓｓｉｓｔａｎｔ）などの情報処理装置によって実現される。
【００２５】
また、情報処理装置２は、プロジェクタ１ａ〜１ｆにそれぞれ表示させるべき画像に応じた画像データ（以下、「部分画像データ」とする）を生成して各プロジェクタ１に送信すると共に、画像の表示タイミングを指示する。即ち、本実施形態においては、情報処理装置２が画像表示制御装置として機能する。尚、情報処理装置２が備える機能の少なくとも一部を、プロジェクタ１ａ〜１ｆの少なくともいずれかが備えるように構成されていても良い。
【００２６】
次に、本実施形態に係るプロジェクタ１のハードウェア構成について、図４を参照して説明する。図４は、本実施形態に係るプロジェクタ１のハードウェア構成を模式的に示すブロック図である。
【００２７】
図４に示すように、本実施形態に係るプロジェクタ１は、ＣＰＵ（Ｃｅｎｔｒａｌ  Ｐｒｏｃｅｓｓｉｎｇ  Ｕｎｉｔ）１１０、ＲＡＭ（Ｒａｎｄｏｍ  Ａｃｃｅｓｓ  Ｍｅｍｏｒｙ）１２０、ＲＯＭ（Ｒｅａｄ  Ｏｎｌｙ  Ｍｅｍｏｒｙ）１３０、ＨＤＤ（Ｈａｒｄ  Ｄｉｓｋ  Ｄｒｉｖｅ）１４０、操作表示装置１５０、通信Ｉ／Ｆ１６０、画像出力装置１７０、入力装置１８０がバス１９０を介して接続されて構成されている。
【００２８】
ＣＰＵ１１０は演算手段であり、プロジェクタ１全体の動作を制御する。ＲＡＭ１２０は、情報の高速な読み書きが可能な揮発性の記憶媒体であり、ＣＰＵ１１０が情報を処理する際の作業領域として用いられる。ＲＯＭ１３０は、読み出し専用の不揮発性記憶媒体であり、ファームウェア等のプログラムが格納されている。
【００２９】
ＨＤＤ１４０は、情報の読み書きが可能な不揮発性の記憶媒体であり、画像データ等の各種データや、ＯＳ（Ｏｐｅｒａｔｉｎｇ  Ｓｙｓｔｅｍ）、画像表示制御プログラム等の各種制御プログラム、アプリケーション・プログラム等の各種プログラムを格納する。
【００３０】
操作表示装置１５０は、プロジェクタ１に情報を入力するためのユーザインタフェースであり、キーボードやマウス、ボタン、タッチパネルなどの入力装置によって実現される。また、操作表示装置１５０は、ユーザがプロジェクタ１の状態を確認するための視覚的ユーザインタフェースであり、ＬＣＤ（Ｌｉｑｕｉｄ  Ｃｒｙｓｔａｌ  Ｄｉｓｐｌａｙ）などの表示装置によって実現される。
【００３１】
通信Ｉ／Ｆ１６０は、プロジェクタ１が他の装置と通信するためのインタフェースであり、Ｅｔｈｅｒｎｅｔ（登録商標）やＵＳＢ、Ｂｌｕｅｔｏｏｔｈ（登録商標）、Ｗｉ−Ｆｉ（登録商標）、ＦｅｌｉＣａ（登録商標）、ＰＣＩｅ、ＶＧＡ、ＤＶＩ、ＩＥＥＥ規格などのインタフェースが用いられる。
【００３２】
画像出力装置１７０は、光源から射出される光束を変調して光学像を形成し、形成した光学像を壁やスクリーンなどの表示面６上に拡大して表示する。
【００３３】
入力装置１８０は、プロジェクタ１の動作状態を観測するための信号を入力するハードウェアであり、各種センサにより実現される。また、入力装置１８０は、表示面６における画像の表示状態を観測するための信号を入力するハードウェアであり、撮像装置や各種センサなどによって実現される。
【００３４】
このようなハードウェア構成において、ＲＯＭ１３０やＨＤＤ１４０若しくは光学ディスクなどの記憶媒体に格納されたプログラムがＲＡＭ１２０に読み出され、ＣＰＵ１１０がＲＡＭ１２０に読み出されたプログラムに従って演算を行うことにより、ソフトウェア制御部が構成される。このようにして構成されたソフトウェア制御部と、ハードウェアとの組み合わせによって、本実施形態に係るプロジェクタ１の機能を実現する機能ブロックが構成される。
【００３５】
次に、本実施形態に係る情報処理装置２のハードウェア構成について、図５を参照して説明する。図５は、本実施形態に係る情報処理装置２のハードウェア構成を模式的に示すブロック図である。
【００３６】
図５に示すように、本実施形態に係る情報処理装置２は、ＣＰＵ２１０、ＲＡＭ２２０、ＲＯＭ２３０、ＨＤＤ２４０、操作表示装置２５０、通信Ｉ／Ｆ２６０がバス２７０を介して接続されて構成されている。
【００３７】
ＨＤＤ２４０は、情報の読み書きが可能な不揮発性の記憶媒体であり、画像データ等の各種データや、ＯＳ、画像表示制御プログラム等の各種制御プログラム、アプリケーション・プログラム等の各種プログラムを格納する。
【００３８】
尚、ＣＰＵ２１０、ＲＡＭ２２０、ＲＯＭ２３０、操作表示装置２５０、通信Ｉ／Ｆ２６０はそれぞれ、ＣＰＵ１１０、ＲＡＭ１２０、ＲＯＭ１３０、操作表示装置１５０、通信Ｉ／Ｆ１６０と同様であるため、詳細な説明については省略する。
【００３９】
次に、本実施形態に係るプロジェクタ１及び情報処理装置２の機能構成について、図６を参照して説明する。図６は、本実施形態に係るプロジェクタ１及び情報処理装置２の機能構成を模式的に示すブロック図である。
【００４０】
図６に示すように、本実施形態に係るプロジェクタ１は、部分画像データ受信部１０１、画像出力部１０２、動作状態検知部１０３、表示状態検知部１０４、検知信号送信部１０５を備える。
【００４１】
部分画像データ受信部１０１は、情報処理装置２からネットワークを介して送信されてきた部分画像データを受信して画像出力部１０２に入力する。
【００４２】
画像出力部１０２は、部分画像データ受信部１０１から入力された部分画像データに応じた画像を表示面６に表示する。画像出力部１０２は、図４に示す画像出力装置１７０により実現される。
【００４３】
動作状態検知部１０３は、自機の動作状態を監視する。そして、動作状態検知部１０３は、自機の動作状態に異常が発生した場合、その異常検知信号を検知信号送信部１０５に入力する。動作状態検知部１０３は、図４に示す入力装置１８０により実現される。
【００４４】
表示状態検知部１０４は、自機に割り当てられている表示領域における画像の表示状態を監視する。そして、表示状態検知部１０４は、自機に割り当てられている表示領域における画像の表示状態に異常が発生した場合、その異常検知信号を検知信号送信部１０５に入力する。表示状態検知部１０４は、図４に示す入力装置１８０により実現される。
【００４５】
検知信号送信部１０５は、動作状態検知部１０３若しくは表示状態検知部１０４から入力された異常検知信号を、ネットワークを介して情報処理装置２に送信する。
【００４６】
また、図６に示すように、本実施形態に係る情報処理装置２は、元画像データ記憶部２０１、検知信号受信部２０２、検知信号解析部２０４、部分画像データ生成部２０５、部分画像データ送信部２０６を備える。
【００４７】
元画像データ記憶部２０１は、部分画像データが生成される際の元データとなる画像データ（以下、「元画像データ」とする）、例えば、ＪＰＥＧ（Ｊｏｉｎｔ  Ｐｈｏｔｏｇｒａｐｈｉｃ  Ｅｘｐｅｒｔｓ  Ｇｒｏｕｐ）などの静止画ファイル、ＭＰＥＧ（Ｍｏｖｉｎｇ  Ｐｉｃｔｕｒｅ  Ｅｘｐｅｒｔｓ  Ｇｒｏｕｐ）などの動画ファイルなどを記憶する。
を記憶する。
【００４８】
検知信号受信部２０２は、各プロジェクタ１からネットワークを介して送信されてきた異常検知信号を受信して検知信号解析部２０４に入力する。尚、検知信号受信部２０２は、各プロジェクタ１へのポーリングにより、各プロジェクタ１の動作状態若しくは表示状態を定期的に確認するように構成されていても良い。
【００４９】
通信異常検知部２０３は、情報処理装置２と各プロジェクタ１ａ〜１ｆとを接続するネットワークの通信状態に発生した異常を検知して、その異常検知信号を検知信号解析部２０４に入力する。
【００５０】
検知信号解析部２０４は、検知信号受信部２０２から入力された異常検知信号を解析してどのプロジェクタ１に異常が発生したのかを特定し、解析結果を部分画像データ生成部２０５に通知する。また、検知信号解析部２０４は、通信異常検知部２０３から入力された異常検知信号を解析してどのプロジェクタ１との通信に異常が発生したのかを特定し、解析結果を部分画像データ生成部２０５に入力する。即ち、本実施形態おいては、検知信号解析部２０４が異常発生特定部として機能する。
【００５１】
部分画像データ生成部２０５は、検知信号解析部２０４から入力された解析結果に基づき、元画像データ記憶部２０１に記憶されている元画像データをもとに、各プロジェクタ１にそれぞれ表示させるべき画像に応じた部分画像データを生成する。尚、部分画像データ生成部２０５による部分画像データの生成方法については、図９〜図１３を参照して後述する。
【００５２】
このとき生成された部分画像データには、各プロジェクタ１がそれぞれ画像を表示する際のタイミングを制御するための情報が含まれている。即ち、本実施形態においては、部分画像データ生成部２０５が画像表示制御部として機能する。そして、部分画像データ生成部２０５は、生成した部分画像データとその部分画像データの送信先とを対応付けて部分画像データ送信部２０６に入力する。
【００５３】
部分画像データ送信部２０６は、部分画像データ生成部２０５から入力された部分画像データを、その部分画像データに対応付けられている送信先に従ってネットワークを介して各プロジェクタ１に送信する。
【００５４】
次に、本実施形態に係る情報処理装置２が各プロジェクタ１に画像を表示させる際の処理について、図７、図８を参照して説明する。図７、図８は、本実施形態に係る情報処理装置２が各プロジェクタ１に画像を表示させる際の処理を説明するためのシーケンス図である。
【００５５】
尚、図７においては、プロジェクタ１ｆに異常が発生した場合について説明し、図８においては、プロジェクタ１ｆと情報処理装置２とを接続するネットワークの通信状態に異常が発生した場合について説明する。
【００５６】
以下では、プロジェクタ１ｆに異常が発生した場合について説明するが、他のプロジェクタ１や複数台のプロジェクタ１に異常が発生した場合についても同様である。また、以下では、プロジェクタ１ｆと情報処理装置２とを接続するネットワークの通信状態に異常が発生した場合について説明するが、他のプロジェクタ１や複数台のプロジェクタ１と情報処理装置２とを接続するネットワークの通信状態に異常が発生した場合についても同様である。
【００５７】
図７に示すように、本実施形態に係る情報処理装置２が各プロジェクタ１に画像を表示させる際にはまず、情報処理装置２は、元画像データ記憶部２０１に記憶されている元画像データに基づいて部分画像データを生成する（Ｓ７０１）。そして、情報処理装置２は、生成した部分画像データを各プロジェクタ１ａ〜１ｆに送信する（Ｓ７０２）。
【００５８】
各プロジェクタ１ａ〜１ｆはそれぞれ、情報処理装置２から送信されてきた部分画像データを受信すると、受信した部分画像データに基づいて自機に割り当てられている表示領域に画像を表示する（Ｓ７０３、Ｓ７０４）。
【００５９】
そして、プロジェクタ１ｆは、自機の動作状態、若しくは、表示領域Ｆに表示されている画像の表示状態に発生した異常を検知すると（Ｓ７０５）、その異常検知信号を情報処理装置２に送信する（Ｓ７０６）。
【００６０】
このように、プロジェクタ１ｆは、自機の動作状態、若しくは、表示領域Ｆに表示されている画像の表示状態に発生した異常を検知すると、その異常検知信号を情報処理装置２に送信することで、自機に異常が発生したことを通知するようになっている。
【００６１】
情報処理装置２は、プロジェクタ１ｆから送信されてきた異常検知信号を受信すると、どのプロジェクタ１に異常が発生したのかを解析し（Ｓ７０７）、解析結果に基づいて部分画像データを生成する（Ｓ７０８）。尚、Ｓ７０８における情報処理装置２による部分画像データの生成方法については、図９〜図１３を参照して後述する。
【００６２】
そして、情報処理装置２は、解析結果に基づいて生成した部分画像データを、異常が発生したプロジェクタ１ｆ以外の正常に動作している各プロジェクタ１ａ〜１ｅに送信する（Ｓ７０９）。
【００６３】
正常に動作している各プロジェクタ１ａ〜１ｅはそれぞれ、情報処理装置２から送信されてきた部分画像データを受信すると、受信した部分画像データに基づいて自機に割り当てられている表示領域に画像を表示する（Ｓ７１０）。
【００６４】
また、図８に示すように、本実施形態に係る情報処理装置２が各プロジェクタ１に画像を表示させる際にはまず、情報処理装置２は、元画像データ記憶部２０１に記憶されている元画像データに基づいて部分画像データを生成する（Ｓ８０１）。そして、情報処理装置２は、生成した部分画像データを各プロジェクタ１ａ〜１ｆに送信する（Ｓ８０２）。
【００６５】
各プロジェクタ１ａ〜１ｆはそれぞれ、情報処理装置２から送信されてきた部分画像データを受信すると、受信した部分画像データに基づいて自機に割り当てられている表示領域に画像を表示する（Ｓ８０３、Ｓ８０４）。
【００６６】
そして、情報処理装置２は、自機とプロジェクタ１ｆとを接続するネットワークの通信状態に発生した異常を検知すると（Ｓ８０５）、その検知信号を解析し（Ｓ８０６）、解析結果に基づいて部分画像データを生成する（Ｓ８０７）。尚、Ｓ８０７における情報処理装置２による部分画像データの生成方法については、図９〜図１３を参照して詳述する。
【００６７】
このように、情報処理装置２は、自機とプロジェクタ１ｆとを接続するネットワークの通信状態に異常が発生すると、プロジェクタ１ｆに部分画像データを送信することができなくなってしまう。そのため、表示領域Ｆに表示されている画像の表示状態に異常が発生することになる。
【００６８】
ところが、プロジェクタ１ｆは、自機と情報処理装置２とを接続するネットワークの通信状態に異常が発生しているため、情報処理装置２に異常検知信号を送信することができない。
【００６９】
そこで、本実施形態に係るマルチプロジェクションシステムにおいて、情報処理装置２は、自機とプロジェクタ１ｆとを接続するネットワークの通信状態に発生した異常を検知することで、プロジェクタ１ｆが正常に画像を表示することができなくなったことを検知することができるように構成されている。
【００７０】
そして、情報処理装置２は、解析結果に基づいて生成した部分画像データを、通信状態に異常が発生したプロジェクタ１ｆ以外の正常に動作している各プロジェクタ１ａ〜１ｅに送信する（Ｓ８０８）。
【００７１】
正常に動作している各プロジェクタ１ａ〜１ｅはそれぞれ、情報処理装置２から送信されてきた部分画像データを受信すると、受信した部分画像データに基づいて自機に割り当てられている表示領域に画像を表示する（Ｓ８０９）。
【００７２】
次に、本実施形態に係るマルチプロジェクションシステムにおいて、一部のプロジェクタ１に異常が発生した場合の情報処理装置２による部分画像データの生成方法について、図９〜図１２を参照して説明する。図９、図１１、図１２は、本実施形態に係るマルチプロジェクションシステムよる表示面６への画像の表示例を示す図である。図１０は、本実施形態に係るマルチプロジェクションシステムにおける表示面６の表示可能領域を示す図である。
【００７３】
尚、図９は、プロジェクタ１ｆに異常が発生した場合の画像の表示例を示している。また、図１０は、異常が発生したプロジェクタ１を除く正常に動作しているプロジェクタ１に割り当てられている表示領域（以下、「表示可能領域」とする）を斜線により示している。また、図１１、図１２は、異常検知信号の解析結果に基づいて部分画像データが生成された場合の画像の表示例を示している。
【００７４】
図９に示すように、プロジェクタ１ｆに異常が発生すると、表示領域Ｆに画像が表示されず、若しくは、表示領域Ｆに異常画像が表示されてしまう。従って、このような場合、全体画像の一部が欠けてしまい、本実施形態に係るマルチプロジェクションシステムは、正常に全体画像を表示することができなくなってしまう。
【００７５】
そこで、本実施形態に係るマルチプロジェクションシステムにおいて、情報処理装置２は、異常が発生したプロジェクタ１ｆを除く正常に動作している各プロジェクタ１ａ〜１ｅにそれぞれ割り当てられている表示領域Ａ〜Ｅの組み合わせにより構成される矩形領域のうち面積が最大となる矩形領域（以下、「最大表示領域」とする）に全体画像が表示されるように部分画像データを生成する。
【００７６】
本実施形態に係るマルチプロジェクションシステムは、このように構成されることで、一部のプロジェクタ１に異常が発生した場合であっても、低コストで且つ簡易な構成で、正常に全体画像を表示することが可能となる。
【００７７】
例えば、プロジェクタ１ｆに異常が発生した場合、表示可能領域は、図１０に示すように、表示領域Ａ〜Ｅとなる。このような場合、矩形領域となる表示領域Ａ〜Ｅの組み合わせには、「表示領域Ａ、Ｂ」、「表示領域Ａ、Ｄ」、「表示領域Ｂ、Ｃ」、「表示領域Ｂ、Ｅ」、「表示領域Ｄ、Ｅ」、「表示領域Ａ〜Ｃ」、「表示領域Ａ、Ｂ、Ｄ、Ｅ」の７通りがある。
【００７８】
これらのうち、面積が最大の矩形領域となる組み合わせは、「表示領域Ａ、Ｂ、Ｄ、Ｅ」である。従って、本実施形態に係る情報処理装置２は、表示領域Ａ、Ｂ、Ｄ、Ｅに全体画像が表示されるように部分画像データを生成する。
【００７９】
その結果、本実施形態係るマルチプロジェクションシステムは、各プロジェクタ１ａ、１ｂ、１ｄ、１ｅにより表示領域Ａ、Ｂ、Ｄ、Ｅに全体画像を表示することになる。
【００８０】
このとき、本実施形態に係る情報処理装置２は、図１１に示すように、プロジェクタ１ｆに異常が発生する前に表示されていた全体画像（以下、「元画像」とする）とアスペクト比が同じとなるように部分画像データを生成しても良いし、図１２に示すように、表示領域Ａ、Ｂ、Ｄ、Ｅの全領域に渡って全体画像が表示されるように部分画像データを生成しても良い。
【００８１】
次に、本実施形態に係る情報処理装置２が部分画像データを生成する際の処理について、図１３を参照して説明する。図１３は、本実施形態に係る情報処理装置２が部分画像データを生成する際の処理を説明するためのフローチャートである。
【００８２】
図１３に示すように、本実施形態に係る情報処理装置２が部分画像データを生成する際にはまず、部分画像データ生成部２０５は、正常に動作している各プロジェクタ１にそれぞれ割り当てられている表示領域の組み合わせのうち面積が最大の矩形領域となる組み合わせを算出する（Ｓ１３０１）。
【００８３】
そして、部分画像データ生成部２０５は、Ｓ１３０１において算出した組み合わせの表示領域により構成される矩形領域を最大表示領域に決定し（Ｓ１３０２）、その最大表示領域に全体画像が表示されるように部分画像データを生成する（Ｓ１３０３）。
【００８４】
以上、説明したように、本実施形態に係るマルチプロジェクションシステムにおいて、情報処理装置２は、正常に動作している各プロジェクタ１にそれぞれ割り当てられている表示領域の組み合わせにより構成される矩形領域のうち面積が最大となる矩形領域（最大表示領域）に全体画像が表示されるように部分画像データを生成するように構成されている。
【００８５】
具体的には、本実施形態に係るマルチプロジェクションシステムにおいて、情報処理装置２は、正常に動作している各プロジェクタ１にそれぞれ割り当てられている表示領域の組み合わせのうち面積が最大の矩形領域となる組み合わせを算出し、その矩形領域を最大表示領域に決定する。そして、本実施形態に係るマルチプロジェクションシステムにおいて、情報処理装置２は、その最大表示領域に全体画像が表示されるように部分画像データを生成する。
【００８６】
本実施形態に係るマルチプロジェクションシステムは、このように構成されることで、一部のプロジェクタ１に異常が発生した場合であっても、低コストで且つ簡易な構成で、正常に全体画像を表示することが可能となる。
【００８７】
実施の形態２．
実施の形態１においては、正常に動作している各プロジェクタ１にそれぞれ割り当てられている表示領域の組み合わせにより構成される矩形領域のうち面積が最大となる矩形領域を最大表示領域として決定するように構成されているマルチプロジェクションシステムについて説明した。
【００８８】
本実施形態においては、正常に動作している各プロジェクタ１にそれぞれ割り当てられている表示領域の組み合わせにより構成される矩形領域のうち、元画像と同じアスペクト比で最も大きく画像を表示することができる矩形領域に全体画像を最大表示領域として決定するように構成されているマルチプロジェクションシステムについて説明する。
【００８９】
本実施形態に係るマルチプロジェクションシステムは、このように構成されることで、一部のプロジェクタ１に異常が発生した場合であっても、正常に全体画像を表示することが可能となると共に、アスペクト比を維持したまま可能な限り大きく画像を表示することが可能となる。
【００９０】
以下、図面を参照して、本発明の実施形態を詳細に説明する。尚、実施の形態１と同様の符号を付す構成については、同一または相当部を示すものとし、詳細な説明を省略する。
【００９１】
まず、本実施形態に係るマルチプロジェクションシステムにおいて、一部のプロジェクタ１に異常が発生した場合の情報処理装置２による部分画像データの生成方法について、図１０、図１４〜図１９を参照して説明する。図１４〜図１９は、本実施形態に係るマルチプロジェクションシステムよる表示面６への画像の表示例を示す図である。
【００９２】
尚、図１４、図１７は、各プロジェクタ１ａ〜１ｆが全て正常に動作している場合の画像の表示例を示している。また、図１５、図１８は、プロジェクタ１ｆに異常が発生した場合の画像の表示例を示している。また、図１６、図１９は、異常検知信号の解析結果に基づいて部分画像データが生成された場合の画像の表示例を示している。
【００９３】
図１４に示すような画像が表示面６に表示されている場合に、図１５に示すように、プロジェクタ１ｆに異常が発生すると、表示領域Ｆに画像が表示されず、若しくは、表示領域Ｆに異常画像が表示されてしまう。従って、このような場合、全体画像の一部が欠けてしまい、本実施形態に係るマルチプロジェクションシステムは、正常に全体画像を表示することができなくなってしまう。
【００９４】
そこで、本実施形態に係るマルチプロジェクションシステムにおいて、情報処理装置２は、異常が発生したプロジェクタ１ｆを除く正常に動作している各プロジェクタ１ａ〜１ｅにそれぞれ割り当てられている表示領域Ａ〜Ｅの組み合わせにより構成される矩形領域のうち、元画像と同じアスペクト比で最も大きく画像を表示することができる矩形領域に全体画像が表示されるように部分画像データを生成する。
【００９５】
本実施形態に係るマルチプロジェクションシステムは、このように構成されることで、プロジェクタ１ｆに異常が発生した場合であっても、正常に全体画像を表示することが可能となると共に、アスペクト比を維持したまま可能な限り大きく画像を表示することが可能となる。
【００９６】
例えば、プロジェクタ１ｆに異常が発生した場合、表示可能領域は、図１０に示すように、表示領域Ａ〜Ｅとなる。このような場合、矩形領域となる表示領域Ａ〜Ｅの組み合わせには、「表示領域Ａ、Ｂ」、「表示領域Ａ、Ｄ」、「表示領域Ｂ、Ｃ」、「表示領域Ｂ、Ｅ」、「表示領域Ｄ、Ｅ」、「表示領域Ａ〜Ｃ」、「表示領域Ａ、Ｂ、Ｄ、Ｅ」の７通りがある。
【００９７】
これらのうち、図１４に示す元画像と同じアスペクト比で画像を表示することができる矩形領域であって、面積が最大の矩形領域となる組み合わせは、「表示領域Ａ、Ｂ、Ｃ」である。従って、本実施形態に係る情報処理装置２は、表示領域Ａ、Ｂ、Ｃに全体画像が表示されるように部分画像データを生成する。
【００９８】
その結果、本実施形態係るマルチプロジェクションシステムは、各プロジェクタ１ａ、１ｂ、１ｃにより表示領域Ａ、Ｂ、Ｃに全体画像を表示することになる。
【００９９】
こうすることで、本実施形態に係るマルチプロジェクションシステムは、図１６に示すように、元画像と同じアスペクト比で全体画像を表示することができる。
【０１００】
また、図１７に示すような画像が表示面６に表示されている場合に、図１８に示すように、プロジェクタ１ｆに異常が発生すると、表示領域Ｆに画像が表示されず、若しくは、表示領域Ｆに異常画像が表示されてしまう。従って、このような場合、全体画像の一部が欠けてしまい、本実施形態に係るマルチプロジェクションシステムは、正常に全体画像を表示することができなくなってしまう。
【０１０１】
そこで、本実施形態に係るマルチプロジェクションシステムにおいて、情報処理装置２は、異常が発生したプロジェクタ１ｆを除く正常に動作している各プロジェクタ１ａ〜１ｅにそれぞれ割り当てられている表示領域Ａ〜Ｅの組み合わせにより構成される矩形領域のうち、元画像と同じアスペクト比で最も大きく画像を表示することができる矩形領域に全体画像が表示されるように部分画像データを生成する。
【０１０２】
本実施形態に係るマルチプロジェクションシステムは、このように構成されることで、プロジェクタ１ｆに異常が発生した場合であっても、正常に全体画像を表示することが可能となると共に、アスペクト比を維持したまま可能な限り大きく画像を表示することが可能となる。
【０１０３】
例えば、プロジェクタ１ｆに異常が発生した場合、表示可能領域は、図１０に示すように、表示領域Ａ〜Ｅとなる。このような場合、矩形領域となる表示領域Ａ〜Ｅの組み合わせには、「表示領域Ａ、Ｂ」、「表示領域Ａ、Ｄ」、「表示領域Ｂ、Ｃ」、「表示領域Ｂ、Ｅ」、「表示領域Ｄ、Ｅ」、「表示領域Ａ〜Ｃ」、「表示領域Ａ、Ｂ、Ｄ、Ｅ」の７通りがある。
【０１０４】
これらのうち、図１７に示す元画像と同じアスペクト比で画像を表示することができる矩形領域であって、面積が最大の矩形領域となる組み合わせは、「表示領域Ａ、Ｂ、Ｄ、Ｅ」である。従って、本実施形態に係る情報処理装置２は、表示領域Ａ、Ｂ、Ｄ、Ｅに全体画像が表示されるように部分画像データを生成する。
【０１０５】
その結果、本実施形態係るマルチプロジェクションシステムは、各プロジェクタ１ａ、１ｂ、１ｄ、１ｅにより表示領域Ａ、Ｂ、Ｄ、Ｅに全体画像を表示することになる。
【０１０６】
こうすることで、本実施形態に係るマルチプロジェクションシステムは、図１９に示すように、元画像と同じアスペクト比で全体画像を表示することができる。
【０１０７】
次に、本実施形態に係る情報処理装置２が部分画像データを生成する際の処理について、図２０を参照して説明する。図２０は、本実施形態に係る情報処理装置２が部分画像データを生成する際の処理を説明するためのフローチャートである。
【０１０８】
図２０に示すように、本実施形態に係る情報処理装置２が部分画像データを生成する際にはまず、部分画像データ生成部２０５は、元画像のアスペクト比が変化すると（Ｓ２００１）、その元画像のアスペクト比を算出する（Ｓ２００２）。
【０１０９】
そして、部分画像データ生成部２０５は、Ｓ２００２において算出した元画像と同じアスペクト比で最も大きく画像を表示することができる矩形領域となる表示領域の組み合わせを算出する（Ｓ２００３）。
【０１１０】
そして、部分画像データ生成部２０５は、Ｓ２００３において算出した組み合わせの表示領域により構成される矩形領域を最大表示領域に決定し（Ｓ２００４）、その最大表示領域に全体画像が表示されるように部分画像データを生成する（Ｓ２００５）。
【０１１１】
以上、説明したように、本実施形態に係るマルチプロジェクションシステムにおいて、情報処理装置２は、正常に動作している各プロジェクタ１にそれぞれ割り当てられている表示領域の組み合わせにより構成される矩形領域のうち、元画像と同じアスペクト比で最も大きく画像を表示することができる矩形領域に全体画像が表示されるように部分画像データを生成するように構成されている。
【０１１２】
具体的には、本実施形態に係るマルチプロジェクションシステムにおいて、情報処理装置２は、正常に動作している各プロジェクタ１にそれぞれ割り当てられている表示領域の組み合わせのうち、元画像と同じアスペクト比で画像表示することができる矩形領域となる組み合わせを算出し、その矩形領域を最大表示領域に決定する。そして、本実施形態に係るマルチプロジェクションシステムにおいて、情報処理装置２は、その最大表示領域に全体画像が表示されるように部分画像データを生成する。
【０１１３】
本実施形態に係るマルチプロジェクションシステムは、このように構成されることで、一部のプロジェクタ１に異常が発生した場合であっても、正常に全体画像を表示することが可能となると共に、アスペクト比を維持したまま可能な限り大きく画像を表示することが可能となる。
【０１１４】
また、本実施形態に係るマルチプロジェクションシステムにおいて、情報処理装置２は、元画像のアスペクト比が変化するタイミングで上記処理を行うように構成されている。本実施形態に係るマルチプロジェクションシステムは、このように構成されることで、画像の表示中に元画像のアスペクト比が変化するような場合に上記効果が特に有効となる。
【０１１５】
実施の形態３．
実施の形態１、２においてはそれぞれ、最大表示領域に全体画像を表示するように構成されているマルチプロジェクションシステムについて説明した。実施の形態１、２に係るマルチプロジェクションシステムは、このように構成された場合、正常に動作するプロジェクタ１であっても全体画像の表示に寄与しない、即ち、正常に動作する一部のプロジェクタ１からは画像が表示されない可能性がある。
【０１１６】
そこで、本実施形態においては、正常に動作するが全体画像の表示に寄与しないプロジェクタ１にも何らかの画像を表示させるように構成されているマルチプロジェクションシステムについて説明する。本実施形態に係るマルチプロジェクションシステムは、このように構成されることで、より多くの情報を提示することが可能となる。
【０１１７】
以下、図面を参照して、本発明の実施形態を詳細に説明する。尚、実施の形態１と同様の符号を付す構成については、同一または相当部を示すものとし、詳細な説明を省略する。
【０１１８】
まず、本実施形態に係るマルチプロジェクションシステムにおいて、一部のプロジェクタ１に異常が発生した場合の情報処理装置２による部分画像データの生成方法について、図２、図９、図１１、図２１〜図２３を参照して説明する。
【０１１９】
図２１〜図２３は、本実施形態に係るマルチプロジェクションシステムよる表示面６への画像の表示例を示す図である。尚、図２１〜図２３は、正常に動作するが全体画像の表示に寄与していないプロジェクタ１ｃにも何らかの画像を表示させるように部分画像データが生成された場合の画像の表示例を示している。
【０１２０】
本実施形態に係るマルチプロジェクションシステムにおいて、情報処理装置２は、図２に示すような画像が表示面６に表示されている場合に、図９に示すように、プロジェクタ１ｆに異常が発生すると、図１１に示すような最大表示領域に全体画像を表示する。
【０１２１】
このとき、プロジェクタ１ｃは、正常に動作するが全体画像の表示に寄与していないため、表示領域Ｃには画像が表示されない。
【０１２２】
そこで、本実施形態に係るマルチプロジェクションシステムにおいて、情報処理装置２は、正常に動作するが全体画像の表示に寄与していないプロジェクタ１ｃにも何らかの画像を表示させるように部分画像データを生成するように構成されている。本実施形態に係るマルチプロジェクションシステムは、このように構成されることで、より多くの情報を提示することが可能となる。
【０１２３】
例えば、図２１に示すように、本実施形態係るマルチプロジェクションシステムにおいて、情報処理装置２は、異常が発生しているプロジェクタ１ｆについてのメッセージをプロジェクタ１ｃに表示させるように部分画像データを生成する。
【０１２４】
また、例えば、図２２に示すように、本実施形態係るマルチプロジェクションシステムにおいて、情報処理装置２は、全体画像と同じ画像をプロジェクタ１ｃに表示させるように部分画像データを生成する。
【０１２５】
また、例えば、図２３に示すように、全体画像とは異なる画像をプロジェクタ１ｃに表示させるように部分画像データを生成する。
【０１２６】
以上、説明したように、本実施形態に係るマルチプロジェクションシステムは、正常に動作するが全体画像の表示に寄与しないプロジェクタ１にも何らかの画像を表示させるように構成されている。本実施形態に係るマルチプロジェクションシステムは、このように構成されることで、より多くの情報を提示することが可能となる。
【０１２７】
実施の形態４．
実施の形態１、２においてはそれぞれ、一部のプロジェクタ１に異常が発生した場合、最大表示領域に全体画像を表示するように構成されているマルチプロジェクションシステムについて説明した。
【０１２８】
実施の形態１、２に係るマルチプロジェクションシステムは、このように構成されると、何も表示されない非表示部分や、表示されなくても視聴に差し支えのない部分（以下、「不要部分」とする）が全体画像の少なくとも一辺に沿って含まれている場合、その不要部分についても最大表示領域に表示されることになる。
【０１２９】
そのため、このような場合、実施の形態１、２に係るマルチプロジェクションシステムにおいては、最大表示領域に表示される全体画像の画像サイズは、元画像よりも小さくなってしまう。
【０１３０】
そこで、本実施形態においては、一部のプロジェクタ１に異常が発生した場合、不要部分を除いた後の全体画像を最大表示領域に表示するように構成されているマルチプロジェクションシステムについて説明する。即ち、本実施形態においては、一部のプロジェクタ１に異常が発生した場合、全体画像における不要部分以外の画像が最も大きく表示されるように全体画像を最大表示領域に表示するように構成されているマルチプロジェクションシステムについて説明する。
【０１３１】
本実施形態に係るマルチプロジェクションシステムは、このように構成されることで、一部のプロジェクタ１に異常が発生した場合であっても、全体画像をより大きく表示することが可能となる。
【０１３２】
以下、図面を参照して、本発明の実施形態を詳細に説明する。尚、実施の形態１と同様の符号を付す構成については、同一または相当部を示すものとし、詳細な説明を省略する。
【０１３３】
まず、本実施形態に係るマルチプロジェクションシステムにおいて、一部のプロジェクタ１に異常が発生した場合の情報処理装置２による部分画像データの生成方法について、図２４〜図２７を参照して説明する。
【０１３４】
図２４〜図２７は、本実施形態に係るマルチプロジェクションシステムよる表示面６への画像の表示例を示す図である。尚、図２４は、各プロジェクタ１ａ〜１ｆが全て正常に動作している場合の画像の表示例を示している。また、図２５は、プロジェクタ１ｆに異常が発生した場合の画像の表示例を示している。また、図２６、異常検知信号の解析結果に基づいて部分画像データが生成された場合の画像の表示例を示している。また、図２７は、不要部分が除かれた場合の画像の表示例を示している。
【０１３５】
実施の形態１、２に係るマルチプロジェクションシステムにおいて、情報処理装置２は、図２４に示すような画像が表示面６に表示されている場合に、図２５に示すように、プロジェクタ１ｆに異常が発生すると、図２６に示すような最大表示領域に全体画像を表示する。
【０１３６】
このとき、図２４に示すように、表示面６に表示されている全体画像の少なくとも一辺に沿って不要部分が含まれているため、図２６に示すように、最大表示領域にもその不要部分が含まれた全体画像が表示されることになる。
【０１３７】
そこで、図２７に示すように、本実施形態に係るマルチプロジェクションシステムにおいて、情報処理装置２は、全体画像の少なくとも一辺に沿って不要部分が含まれている場合、その不要部分を除いた後の全体画像が最大表示領域に表示されるように部分画像データを生成するように構成されている。
【０１３８】
即ち、本実施形態に係るマルチプロジェクションシステムにおいて、情報処理装置２は、全体画像の少なくとも一辺に沿って不要部分が含まれている場合、その不要部分を除く画像が最も大きく表示されるように全体画像を最大表示領域に表示するように部分画像データを生成するように構成されている
【０１３９】
本実施形態に係るマルチプロジェクションシステムは、このように構成されることで、一部のプロジェクタ１に異常が発生した場合であっても、全体画像をより大きく表示することが可能となる。
【０１４０】
次に、本実施形態に係る情報処理装置２が部分画像データを生成する際の処理について、図２８を参照して説明する。図２８は、本実施形態に係る情報処理装置２が部分画像データを生成する際の処理を説明するためのフローチャートである。
【０１４１】
図２８に示すように、本実施形態に係る情報処理装置２が部分画像データを生成する際にはまず、部分画像データ生成部２０５は、一部のプロジェクタ１に異常が発生すると（Ｓ２８０１）、元画像データ記憶部２０１に記憶されている元画像データによる全体画像の少なくとも一辺に沿って不要部分が含まれることを確認する（Ｓ２８０２）。
【０１４２】
そして、部分画像データ生成部２０５は、元画像データからその不要部分を除き（Ｓ２８０３）、不要部分を除いた後の画像データに基づいて図１３や図２０に示した処理により部分画像データを生成する（Ｓ２８０４）。
【０１４３】
以上、説明したように、本実施形態に係るマルチプロジェクションシステムは、全体画像の少なくとも一辺に沿って不要部分が含まれている場合、その不要部分を除いた後の全体画像を最大表示領域に表示するように構成されている。
【０１４４】
即ち、本実施形態に係るマルチプロジェクションシステムは、全体画像の少なくとも一辺に沿って不要部分が含まれている場合、その不要部分を除く画像が最も大きく表示されるように全体画像を最大表示領域に表示するように構成されている。
【０１４５】
本実施形態に係るマルチプロジェクションシステムは、このように構成されることで、一部のプロジェクタ１に異常が発生した場合であっても、全体画像をより大きく表示することが可能となる。
【０１４６】
尚、本実施形態においては、全体画像の少なくとも一辺に沿って不要部分が含まれる場合、画像データからその不要部分を除くように構成されているマルチプロジェクションシステムについて説明した。
【０１４７】
本実施形態に係るマルチプロジェクションシステムは、このように構成された場合、全体画像の少なくとも一辺に沿って不要部分ある画像とそうでない画像とを切り替えて表示させるような場合、それに応じて画像サイズを頻繁に変更することになる。従って、このような場合、本実施形態に係るマルチプロジェクションシステムは、表示する画像の視認性が低下してしまう。
【０１４８】
そこで、本実施形態に係るマルチプロジェクションシステムは、少なくとも一辺に沿って不要部分が含まれる全体画像を一定時間を超えて表示する場合、若しくは、少なくとも一辺に沿って不要部分が含まれる全体画像を元画像データのファイルが切り替わっても引き続き表示する場合、画像データからその不要部分を除くように構成されていても良い。
【０１４９】
本実施形態に係るマルチプロジェクションシステムは、このように構成されることで、表示する画像の視認性を向上させることが可能となる。
【０１５０】
実施の形態５．
実施の形態１においては、あるプロジェクタ１に割り当てられている表示領域における画像の表示状態に発生した異常を検知することで、そのプロジェクタ１に異常が発生していることを検知することができるように構成されているマルチプロジェクションシステムについて説明した。
【０１５１】
実施の形態１に係るマルチプロジェクションシステムは、このように構成された場合、正常に動作しているプロジェクタ１に割り当てられている表示領域にたまたま何も表示されていない状態にすぎない場合であっても、そのプロジェクタ１に異常が発生したと誤認識してしまう。
【０１５２】
そこで、本実施形態においては、あるプロジェクタ１に割り当てられている表示領域に何も表示されていない非表示状態が一定時間継続している場合、若しくは、元画像データのファイルが切り替わっても継続している場合に、そのプロジェクタ１に異常が発生していることを検知するように構成されているマルチプロジェクションシステムについて説明する。
【０１５３】
本実施形態に係るマルチプロジェクションシステムは、このように構成されることで、正常に動作しているプロジェクタ１に異常が発生したと誤認識することを防ぐことが可能となる。
【０１５４】
以下、図面を参照して、本発明の実施形態を詳細に説明する。尚、実施の形態１と同様の符号を付す構成については、同一または相当部を示すものとし、詳細な説明を省略する。
【０１５５】
まず、本実施形態に係るマルチプロジェクションシステムにおいて、プロジェクタ１が自機に割り当てられている表示領域における画像の表示状態に異常が発生したことを検知する際の処理について、図２９、図３０を参照して説明する。図２９、図３０は、本実施形態に係るプロジェクタ１が自機に割り当てられている表示領域における画像の表示状態に異常が発生したことを検知する際の処理を説明するためのフローチャートである。
【０１５６】
図２９に示すように、本実施形態に係るプロジェクタ１が自機に割り当てられている表示領域における画像の表示状態に異常が発生したことを検知する際にはまず、表示状態検知部１０４は、自機に割り当てられている表示領域が非表示状態にあるか否かを判定する（Ｓ２９０１）。
【０１５７】
表示状態検知部１０４は、Ｓ２９０１における判定処理において、自機に割り当てられている表示領域が非表示状態にあると判定した場合（Ｓ２９０１／ＹＥＳ）、その非表示状態の継続時間を計測し（Ｓ２９０２）、その継続時間が一定時間を経過したか否かを判定する（Ｓ２９０３）。
【０１５８】
表示状態検知部１０４は、Ｓ２９０３における判定処理において、継続時間が一定時間を経過したと判定した場合（Ｓ２９０３／ＹＥＳ）、自機に割り当てられている表示領域における画像の表示状態に異常が発生したことを検知する（Ｓ２９０４）。
【０１５９】
一方、表示状態検知部１０４は、Ｓ２９０１における判定処理において、自機に割り当てられている表示領域が非表示状態にないと判定した場合（Ｓ２９０１／ＮＯ）、若しくは、Ｓ２９０２における判定処理において、自機に割り当てられている表示領域における非表示状態が一定時間を経過する前に解消したと判定した場合（Ｓ２９０３／ＮＯ）、自機に割り当てられている表示領域における画像の表示状態に異常は発生していないと判断する（Ｓ２９０５）。
【０１６０】
また、図３０に示すように、本実施形態に係るプロジェクタ１が自機に割り当てられている表示領域における画像の表示状態に異常が発生したことを検知する際にはまず、表示状態検知部１０４は、自機に割り当てられている表示領域が非表示状態にあるか否かを判定する（Ｓ３００１）。
【０１６１】
表示状態検知部１０４は、Ｓ３００１における判定処理において、自機に割り当てられている表示領域が非表示状態にあると判定した場合（Ｓ３００１／ＹＥＳ）、元画像データのファイルが切り替わったか否かを判定する（Ｓ３００２）。尚、このとき、表示状態検知部１０４は、元画像データのファイルが切替る度に情報処理装置２からその旨がプロジェクタ１へと通知されることで、元画像データのファイルの切り替えタイミングを検知することができる。
【０１６２】
表示状態検知部１０４は、Ｓ３００２における判定処理において、画像データのファイルが切り替わったと判定した場合（Ｓ３００２／ＹＥＳ）、元画像データのファイルが切り替わっても、自機に割り当てられている表示領域における非表示状態が継続しているか否かを判定する（Ｓ３００３）。
【０１６３】
表示状態検知部１０４は、Ｓ３００３における判定処理において、元画像データのファイルが切り替わっても、自機に割り当てられている表示領域における非表示状態が継続していると判定した場合（Ｓ３００３／ＹＥＳ）、自機に割り当てられている表示領域における画像の表示状態に異常が発生したことを検知する（Ｓ３００４）。
【０１６４】
一方、表示状態検知部１０４は、Ｓ３００１における判定処理において、自機に割り当てられている表示領域が非表示状態にないと判定した場合（Ｓ３００１／ＮＯ）、若しくは、Ｓ３００２における判定処理において、自機に割り当てられている表示領域における非表示状態が元画像データのファイルが切り替わる前に解消したと判定した場合（Ｓ３００２／ＮＯ）、若しくは、Ｓ３００３における判定処理において、元画像データのファイルが切り替わったタイミングで自機に割り当てられている表示領域における非表示状態が解消したと判定した場合（Ｓ３００３／ＮＯ）、自機に割り当てられている表示領域における画像の表示状態に異常は発生していないと判断する（Ｓ３００５）。
【０１６５】
尚、本実施形態に係るプロジェクタ１は、静止画を表示している場合、表示面６に表示されている画像に変化がないため、図２９を参照して説明した処理よりも、図３０を参照して説明した処理によりプロジェクタ１に異常が発生していることを検知する方が、処理負荷を低減させることが可能となる。
【０１６６】
以上、説明したように、本実施形態に係るマルチプロジェクションシステムは、あるプロジェクタ１に割り当てられている表示領域に何も表示されていない非表示状態が一定時間継続している場合、若しくは、元画像データのファイルが切り替わっても継続している場合に、そのプロジェクタ１に異常が発生していることを検知するように構成されている。
【０１６７】
本実施形態に係るマルチプロジェクションシステムは、このように構成されることで、正常に動作しているプロジェクタ１に異常が発生したと誤認識することを防ぐことが可能となる。
【０１６８】
尚、本実施形態においては、プロジェクタ１が自機に異常が発生していることを検知するように構成されているマルチプロジェクションシステムについて説明した。この他、本実施形態に係るマルチプロジェクションシステムは、情報処理装置２がプロジェクタ１に異常が発生していることを検知するように構成されていても良い。
【０１６９】
本実施形態に係るマルチプロジェクションシステムがこのように構成された場合、情報処理装置２において、検知信号解析部２０４が、あるプロジェクタ１から送信されてくる異常検知信号を一定時間継続して受信し続け、若しくは、元画像データのファイルが切り替わっても継続して異常検知信号を受信した場合に、そのプロジェクタ１に異常が発生していることを検知する。
【０１７０】
実施の形態６．
実施の形態１、２においてはそれぞれ、一部のプロジェクタ１に異常が発生した場合、最大表示領域に合わせて画像サイズを変更するように構成されているマルチプロジェクションシステムについて説明した。そのため、実施の形態１、２に係るマルチプロジェクションシステムにおいては、最大表示領域に表示される全体画像の画像サイズは、元画像よりも小さくなってしまう場合がある。
【０１７１】
本実施形態においては、一部のプロジェクタ１に異常が発生しても、そのプロジェクタ１が表示するべき画像が不要部分である場合、画像サイズの変更を行わず、正常に動作しているプロジェクタ１全てを使用して画像を表示するマルチプロジェクションシステムについて説明する。
【０１７２】
即ち、本実施形態に係るマルチプロジェクションシステムにおいて、情報処理装置２は、一部のプロジェクタ１に異常が発生しても、そのプロジェクタ１が表示するべき画像が不要部分である場合、異常が発生する前と同様に部分画像データを生成するように構成されている。
【０１７３】
本実施形態に係るマルチプロジェクションシステムは、このように構成されることで、一部のプロジェクタ１に異常が発生しても、元画像と同じ画像サイズで全体画像を表示することが可能となる。
【０１７４】
以下、図面を参照して、本発明の実施形態を詳細に説明する。尚、実施の形態１と同様の符号を付す構成については、同一または相当部を示すものとし、詳細な説明を省略する。
【０１７５】
まず、本実施形態に係るマルチプロジェクションシステムにおいて、一部のプロジェクタ１に異常が発生した場合の情報処理装置２による部分画像データの生成方法について、図３１〜図３３を参照して説明する。
【０１７６】
図３１〜図３３は、本実施形態に係るマルチプロジェクションシステムよる表示面６への画像の表示例を示す図である。尚、図３１は、各プロジェクタ１ａ〜１ｆが全て正常に動作している場合の画像の表示例を示している。また、図３２は、プロジェクタ１ｆに異常が発生した場合の画像の表示例を示している。また、図３３、異常検知信号の解析結果に基づいて部分画像データが生成された場合の画像の表示例を示している。
【０１７７】
実施の形態１、２に係るマルチプロジェクションシステムにおいて、情報処理装置２は、図３１に示すような画像が表示面６に表示されている場合に、図３２に示すように、プロジェクタ１ｆに異常が発生すると、図３３に示すような最大表示領域に全体画像を表示する。
【０１７８】
このとき、図３１に示すように、表示面６に表示されている全体画像には不要部分が含まれているため、図３２に示すように、最大表示領域にも不要部分が含まれた全体画像が表示されることになる。そして、この不要部分は、図３１に示すように、元画像においてはプロジェクタ１ｆにより表示される。
【０１７９】
そこで、本実施形態に係るマルチプロジェクションシステムにおいて、情報処理装置２は、プロジェクタ１ｆに異常が発生しても、そのプロジェクタ１ｆが表示するべき画像が不要部分である場合、画像サイズが変更されないように部分画像データを生成するように構成されている。
【０１８０】
即ち、本実施形態に係るマルチプロジェクションシステムにおいて、情報処理装置２は、プロジェクタ１ｆに異常が発生しても、そのプロジェクタ１ｆが表示するべき画像が不要部分である場合、異常が発生する前と同様に部分画像データを生成するように構成されている。
【０１８１】
本実施形態に係るマルチプロジェクションシステムは、このように構成されることで、一部のプロジェクタ１に異常が発生しても、図３２に示すように、元画像と同じ画像サイズで画像を表示することが可能となる。
【０１８２】
次に、本実施形態に係る情報処理装置２が画像サイズを変更する必要があるか否かを判断する際の処理について、図３４を参照して説明する。図３４は、本実施形態に係る情報処理装置２が画像サイズを変更する必要があるか否かを判断する際の処理を説明するためのフローチャートである。
【０１８３】
図３４に示すように、本実施形態に係る情報処理装置２が画像サイズを変更する必要があるか否かを判断する際にはまず、部分画像データ生成部２０５は、一部のプロジェクタ１に異常が発生すると（Ｓ３４０１）、元画像データに基づき、そのプロジェクタ１による表示画像が不要部分であるか否かを判断する（Ｓ３４０２）。
【０１８４】
部分画像データ生成部２０５は、Ｓ３４０２における判定処理において、異常が発生したプロジェクタ１による表示画像が不要部分であると判断した場合（Ｓ３４０２／ＹＥＳ）、画像サイズを変更する必要はないと判断する（Ｓ３４０３）。
【０１８５】
い峰、部分画像データ生成部２０５は、Ｓ３４０２における判定処理において、異常が発生したプロジェクタ１による表示画像が不要部分ではないと判断した場合（Ｓ３４０２／ＮＯ）、画像サイズを変更する必要があると判断する（Ｓ３４０４）。
【０１８６】
尚、図３４においては、異常が発生したプロジェクタ１による表示画像が不要部分であるか否かに応じて、画像サイズを変更する必要があるか否かを判断するように構成されているマルチプロジェクションシステムについて説明した。
【０１８７】
本実施形態に係るマルチプロジェクションシステムは、このように構成された場合、異常が発生したプロジェクタ１に不要部分と不要部分でない画像とを切り替えて表示させるような場合、それに応じて画像サイズを頻繁に変更することになる。従って、このような場合、本実施形態に係るマルチプロジェクションシステムは、表示する画像の視認性が低下してしまう。
【０１８８】
そこで、本実施形態に係るマルチプロジェクションシステムは、異常が発生したプロジェクタ１による不要部分の表示時間が一定時間を超えるか否か、若しくは、元画像データのファイルが切り替わっても引き続き不要部分を表示するか否かに応じて、画像サイズを変更する必要があるか否かを判断するように構成されていても良い。
【０１８９】
本実施形態に係るマルチプロジェクションシステムは、このように構成されることで、表示する画像の視認性を向上させることが可能となる。
【０１９０】
そこで、このように構成されたマルチプロジェクションシステムにおいて、本実施形態に係る情報処理装置２が画像サイズを変更する必要があるか否かを判断する際の処理について、図３５、図３６を参照して説明する。図３５、図３６は、本実施形態に係る情報処理装置２が画像サイズを変更する必要があるか否かを判断する際の処理を説明するためのフローチャートである。
【０１９１】
図３５に示すように、本実施形態に係る情報処理装置２が画像サイズを変更する必要があるか否かを判断する際にはまず、部分画像データ生成部２０５は、一部のプロジェクタ１に異常が発生すると（Ｓ３５０１）、元画像データに基づき、そのプロジェクタ１による表示画像が不要部分であるか否かを判断する（Ｓ３５０２）。
【０１９２】
部分画像データ生成部２０５は、Ｓ３５０２における判定処理おいて、異常が発生したプロジェクタ１による表示画像が不要部分であると判断した場合（Ｓ３５０２／ＹＥＳ）、元画像データに基づき、そのプロジェクタ１による不要部分の表示時間を算出し（Ｓ３５０３）、その表示時間が一定時間を超えるか否かを判定する（Ｓ３５０４）。
【０１９３】
部分画像データ生成部２０５は、Ｓ３５０４における判定処理において、表示時間が一定時間を超えると判定した場合（Ｓ３５０４／ＹＥＳ）、画像サイズを変更する必要はないと判断する（Ｓ３５０５）。
【０１９４】
一方、部分画像データ生成部２０５は、Ｓ３５０２における判定処理において、異常が発生したプロジェクタ１による表示画像が不要部分ではないと判断した場合（Ｓ３５０２／ＮＯ）、若しくは、Ｓ３５０４における判定処理において、表示時間が一定時間を超えないと判定した場合（Ｓ３５０４／ＮＯ）、画像サイズを変更する必要があると判断する（Ｓ３５０６）。
【０１９５】
また、図３６に示すように、本実施形態に係る情報処理装置２が画像サイズを変更する必要があるか否かを判断する際にはまず、部分画像データ生成部２０５は、一部のプロジェクタ１に異常が発生すると（Ｓ３６０１）、元画像データに基づき、そのプロジェクタ１による表示画像が不要部分であるか否かを判断する（Ｓ３６０２）。
【０１９６】
部分画像データ生成部２０５は、Ｓ３６０２における判定処理において、異常が発生したプロジェクタ１による表示画像が不要部分であると判断した場合（Ｓ３６０２／ＹＥＳ）、元画像データに基づき、そのプロジェクタ１による表示画像が不要部分のまま元画像データのファイルが切り替わるか否かを判定する（Ｓ３６０３）。尚、このとき、表示状態検知部１０４は、元画像データのファイルが切替る度に情報処理装置２からその旨がプロジェクタ１へと通知されることで、元画像データのファイルの切り替えタイミングを検知することができる。
【０１９７】
部分画像データ生成部２０５は、Ｓ３６０３における判定処理において、異常が発生したプロジェクタ１による表示画像が不要部分のまま元画像データのファイルが切り替わると判定した場合（Ｓ３６０３／ＹＥＳ）、元画像データのファイルが切り替わっても、そのプロジェクタ１による表示画像が引き続き不要部分のままであるか否かを判定する（Ｓ３６０４）。
【０１９８】
部分画像データ生成部２０５は、Ｓ３６０４における判定処理において、異常が発生したプロジェクタ１による表示画像が元画像データのファイルが切り替わっても引き続き不要部分のままであると判定した場合（Ｓ３６０４／ＹＥＳ）、画像サイズを変更する必要はないと判断する（Ｓ３６０５）。
【０１９９】
一方、部分画像データ生成部２０５は、Ｓ３６０２における判定処理において、異常が発生したプロジェクタ１による表示画像が不要部分ではないと判断した場合（Ｓ３６０２／ＮＯ）、若しくは、Ｓ３６０３における判定処理において、そのプロジェクタ１による表示画像が元画像データのファイルが切り替わる前に不要部分ではなくなると判定した場合（Ｓ３６０３／ＮＯ）、若しくは、Ｓ３６０４における判定処理において、そのプロジェクタ１による表示画像が元画像データのファイルが切り替わるタイミングで不要部分ではなくなると判定した場合（Ｓ３６０４／ＮＯ）、画像サイズを変更する必要があると判断する（Ｓ３６０６）。
【０２００】
尚、本実施形態に係るプロジェクタ１は、静止画を表示している場合、表示面６に表示されている画像に変化がないため、図３５を参照して説明した処理よりも、図３６を参照して説明した処理によりプロジェクタ１に異常が発生していることを検知する方が、処理負荷を低減させることが可能となる。
【０２０１】
以上、説明したように、本実施形態に係るマルチプロジェクションシステムは、一部のプロジェクタ１に異常が発生しても、そのプロジェクタ１が表示するべき画像が不要部分である場合、画像サイズの変更を行わず、正常に動作しているプロジェクタ１全てを使用して画像を表示するように構成されている。
【０２０２】
即ち、本実施形態に係るマルチプロジェクションシステムにおいて、情報処理装置２は、プロジェクタ１に異常が発生しても、そのプロジェクタ１が表示するべき画像が不要部分である場合、異常が発生する前と同様に部分画像データを生成するように構成されている。
【０２０３】
本実施形態に係るマルチプロジェクションシステムは、このように構成されることで、一部のプロジェクタ１に異常が発生しても、元画像と同じ画像サイズで全体画像を表示することが可能となる。
【０２０４】
また、本実施形態に係るマルチプロジェクションシステムは、異常が発生したプロジェクタ１による不要部分の表示時間が一定時間を超えるか否か、若しくは、元画像データのファイルが切り替わっても引き続き不要部分を表示するか否かに応じて、画像サイズを変更する必要があるか否かを判断するように構成されている。
【０２０５】
本実施形態に係るマルチプロジェクションシステムは、このように構成されることで、表示する画像の視認性を向上させることが可能となる。
【符号の説明】
【０２０６】
１  プロジェクタ
１ａ  プロジェクタ
１ｂ  プロジェクタ
１ｃ  プロジェクタ
１ｄ  プロジェクタ
１ｅ  プロジェクタ
１ｆ  プロジェクタ
２  情報処理装置
１０１  部分画像データ受信部
１０２  画像出力部
１０３  機器異常検知部
１０４  表示状態検知部
１０５  検知信号送信部
１１０  ＣＰＵ
１２０  ＲＡＭ
１３０  ＲＯＭ
１４０  ＨＤＤ
１５０  操作表示装置
１６０  通信Ｉ／Ｆ
１７０  画像出力装置
１８０  入力装置
１９０  バス
２０１  元画像データ記憶部
２０２  検知信号受信部
２０３  通信異常検知部
２０４  検知信号解析部
２０５  部分画像データ生成部
２０６  部分画像データ送信部
２１０  ＣＰＵ
２２０  ＲＡＭ
２３０  ＲＯＭ
２４０  ＨＤＤ
２５０  操作表示装置
２６０  通信Ｉ／Ｆ
２７０  バス
【先行技術文献】
【特許文献】
【０２０７】
【特許文献１】特開２００７−３３４１８１号公報
【特許文献２】特開２００６−２８４７１８号公報
【図１】
2016161820.tif 000003
【図２】
2016161820.tif 000004
【図３】
2016161820.tif 000005
【図４】
2016161820.tif 000006
【図５】
2016161820.tif 000007
【図６】
2016161820.tif 000008
【図７】
2016161820.tif 000009
【図８】
2016161820.tif 000010
【図９】
2016161820.tif 000011
【図１０】
2016161820.tif 000012
【図１１】
2016161820.tif 000013
【図１２】
2016161820.tif 000014
【図１３】
2016161820.tif 000015
【図１４】
2016161820.tif 000016
【図１５】
2016161820.tif 000017
【図１６】
2016161820.tif 000018
【図１７】
2016161820.tif 000019
【図１８】
2016161820.tif 000020
【図１９】
2016161820.tif 000021
【図２０】
2016161820.tif 000022
【図２１】
2016161820.tif 000023
【図２２】
2016161820.tif 000024
【図２３】
2016161820.tif 000025
【図２４】
2016161820.tif 000026
【図２５】
2016161820.tif 000027
【図２６】
2016161820.tif 000028
【図２７】
2016161820.tif 000029
【図２８】
2016161820.tif 000030
【図２９】
2016161820.tif 000031
【図３０】
2016161820.tif 000032
【図３１】
2016161820.tif 000033
【図３２】
2016161820.tif 000034
【図３３】
2016161820.tif 000035
【図３４】
2016161820.tif 000036
【図３５】
2016161820.tif 000037
【図３６】
2016161820.tif 000038